(57)【要約】  ＣＣ−ＩＤ情報保持部は、モニタリングＣＣの周波数帯域情報毎に周波数帯域情報とＣＣ−ＩＤとを対応付けたＣＣ−ＩＤ情報を記憶する。リソース情報取得部は、制御情報から抽出したＣＣ−ＩＤを周波数帯域情報に変換する。
2011142336.tif 000002
【特許請求の範囲】
【請求項１】
第１の通信装置と、前記第１の通信装置と複数の周波数帯域を用いて通信する第２の通信装置と、を備える通信システムにおいて、
前記第１の通信装置は、
制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定し、
前記第２の通信装置は、
制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択する
ことを特徴とする通信システム。
【請求項２】
前記第１の通信装置は、
前記制御情報で制御する情報を配置する周波数帯域を指定し、
前記第２の通信装置は、
前記制御情報で制御する情報が配置される周波数帯域を選択する
ことを特徴とする請求項１に記載の通信システム。
【請求項３】
前記第１の通信装置は、
前記制御情報で制御する情報を配置する周波数帯域を示す周波数帯域識別子を送信せず、
前記第２の通信装置は、
周波数帯域識別子がない場合には、前記制御情報が配置された周波数帯域を、前記制御情報で制御する情報を配置する周波数帯域として選択することを特徴とする請求項２に記載の通信システム。
【請求項４】
前記第１の通信装置は、
前記対応情報を決定して送信し、
前記第２の通信装置は、
前記第１の通信装置から受信した前記対応情報に基づいて、周波数帯域識別子を用いて、前記周波数帯域に配置された制御情報が示す周波数帯域を選択することを特徴とする請求項１乃至３のいずれかに記載の通信システム。
【請求項５】
前記第２の通信装置は、
前記第１の通信装置から前記対応情報を受信したことを示す受信完了通知を送信し、
前記第１の通信装置は、
前記第２の通信装置から前記受信完了通知を受信したことを示す受信確認通知を送信するとともに、受信確認通知の送信から予め定めた期間の経過後に、前記対応情報を用いて、前記周波数帯域に配置する制御情報が示す周波数帯域を指定し、
前記第２の通信装置は、
前記第１の通信装置から前記受信確認通知を受信し、受信から予め定めた期間の経過後に、前記対応情報を用いて、前記周波数帯域に配置する制御情報が示す周波数帯域を選択することを特徴とする請求項４に記載の通信システム。
【請求項６】
前記第１の通信装置は、
前記周波数帯域を示す周波数帯域情報に基づいて、予め定めた規則によって前記対応情報を決定するとともに、前記周波数帯域情報を送信し、
前記第２の通信装置は、
前記第１の通信装置から受信した周波数帯域情報に基づいて、前記規則によって前記対応情報を決定することを特徴とする請求項１乃至３のいずれかに記載の通信システム。
【請求項７】
前記第２の通信装置は、
前記第１の通信装置から前記周波数帯域情報を受信したことを示す受信完了通知を送信し、
前記第１の通信装置は、
前記第２の通信装置から前記受信完了通知を受信したことを示す受信確認通知を送信するとともに、送信から予め定めた期間の経過後に、決定した周波数帯域識別子を用いて、前記周波数帯域に配置する制御情報が示す周波数帯域を指定し、
前記第２の通信装置は、
前記第１の通信装置から前記受信確認通知を受信し、受信から予め定めた期間の経過後に、決定した周波数帯域識別子を用いて、前記周波数帯域に配置する制御情報が示す周波数帯域を選択することを特徴とする請求項６に記載の通信システム。
【請求項８】
前記第１の通信装置は、
前記周波数帯域識別子を含む前記制御情報を送信し、
前記第２の通信装置は、
前記第１の通信装置から受信した制御情報から周波数帯域識別子を抽出し、抽出した周波数帯域識別子を用いて、前記周波数帯域に配置された制御情報が示す周波数帯域を選択することを特徴とする請求項１乃至７のいずれかに記載の通信システム。
【請求項９】
他の通信装置と複数の周波数帯域を用いて通信する通信装置において、
制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定することを特徴とする通信装置。
【請求項１０】
他の通信装置と複数の周波数帯域を用いて通信する通信装置において、
制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択することを特徴とする通信装置。
【請求項１１】
第２の通信装置と複数の周波数帯域を用いて通信する第１の通信装置における通信制御方法において、
前記第２の通信装置が、制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定する過程を有することを特徴とする通信制御方法。
【請求項１２】
第１の通信装置と複数の周波数帯域を用いて通信する第２の通信装置における通信制御方法において、
前記第１の通信装置が、制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択する過程を有することを特徴とする通信制御方法。
【請求項１３】
第２の通信装置と複数の周波数帯域を用いて通信する第１の通信装置のコンピュータに、
制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定する手順を実行させるための通信制御プログラム。
【請求項１４】
第１の通信装置と複数の周波数帯域を用いて通信する第２の通信装置のコンピュータに、
制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択する手順を実行させるための通信制御プログラム。
【発明の詳細な説明】
【技術分野】
【０００１】
本発明は、通信システム、通信装置、通信制御方法、及び通信制御プログラムに関する。
本願は、２０１０年５月１１日に、日本に出願された特願２０１０−１０９２４１号に基づき優先権を主張し、その内容をここに援用する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）では、現在ＬＴＥ（Ｌｏｎｇ  Ｔｅｒｍ  Ｅｖｏｌｕｔｉｏｎ；（第３世代の）長期進化）通信方式についての仕様化が進められている。
また、ＬＴＥ方式の通信方式としてＬＴＥ−Ａ（ＬＴＥ−Ａｄｖａｎｃｅｄ）の検討が行われている。ＬＴＥ−Ａでは、ＬＴＥよりも高速の通信を実現することが要求されており、ＬＴＥよりも広帯域（ＬＴＥの２０ＭＨｚの帯域を越える１００ＭＨｚまでの帯域）をサポートすることが求められている。しかしながら、世界的に広帯域の連続した周波数領域をＬＴＥ−Ａ用として確保することは難しく、また、ＬＴＥとの互換性を可能な限り維持する目的から、帯域幅が２０ＭＨｚまでのキャリアを複数まとめて通信を行うことで、最大１００ＭＨｚの帯域幅を確保し、高速かつ大容量の通信を実現させるキャリアアグリゲーション（ＣＡ：Ｃａｒｅｅｒ  Ａｇｇｒｅｇａｔｉｏｎ）技術が提案され、３ＧＰＰ  ＲＡＮ１＃５３ｂ会合で合意された（非特許文献３の５章参照）。
ＣＡ技術では、２０ＭＨｚまでのキャリアは、コンポーネントキャリア（Ｃｏｍｐｏｎｅｎｔ  Ｃａｒｅｅｒ；ＣＣ）と呼ばれる。ＣＡ技術についてシグナリング、チャネル配置、マッピング等、詳細仕様について検討が進められている。【０００３】
ＣＡ技術を用いた通信で使用されるコンポーネントキャリアは、ＤＬ（Ｄｏｗｎ  Ｌｉｎｋ；下りリンク）コンポーネントキャリアセット（ＤＬ−ＣＣセット）、モニタリングコンポーネントキャリアセットとして、定義されている。ＤＬコンポーネントキャリアセットは端末固有（ＵＥｓｐｅｃｉｆｉｃ）として使用され、ユーザ毎に使用可能なコンポーネントキャリアが指定される。また、モニタリングコンポーネントキャリアセットは、ＤＬコンポーネントキャリアセットのうち、スケジューリング等の制御チャネルに使用されるコンポーネントキャリアである。
例えば、ＤＬ、ＵＬ（Ｕｐ  Ｌｉｎｋ；上りリンク）で各端末が使用するＰＤＳＣＨ（Ｐｈｙｓｉｃａｌ  Ｄｏｗｎｌｉｎｋ  Ｓｈａｒｅｄ  Ｃｈａｎｎｅｌ：下り共有チャネル）、及びＰＵＳＣＨ（Ｐｈｙｓｉｃａｌ  Ｕｐｌｉｎｋ  Ｓｈａｒｅｄ  Ｃｈａｎｎｅｌ：上り共有チャネル）のリソースブロックを示す情報は、ＰＤＣＣＨ（Ｐｈｙｓｉｃａｌ  Ｄｏｗｎｌｉｎｋ  Ｃｏｎｔｒｏｌ  Ｃｈａｎｎｅｌ：下り制御チャネル）により通知される。【０００４】
このＰＤＣＣＨが挿入されるコンポーネントキャリアは、ＰＤＣＣＨを検出するためのブラインドデコーディングの負荷を軽減するため、モニタリングコンポーネントキャリアのみで送信されることが検討されている。この場合、通常、モニタリングコンポーネントキャリアセットの数はＤＬコンポーネントキャリアセットの数より少なくなるため、クロススケジューリングが用いられる。クロススケジューリングとは、あるＣＣのＰＤＣＣＨの制御情報が、別のＣＣのＰＤＳＣＨのスケジューリングを行うことである。つまり、クロススケジューリングでは、ＰＤＣＣＨは、ＰＤＣＣＨが含まれるコンポーネントキャリアとは異なるコンポーネントキャリアのＰＤＳＣＨをスケジューリングすることとなる。このため、ＰＤＣＣＨを送信する場合、そのＰＤＣＣＨの制御情報がどのコンポーネントキャリアのＰＤＳＣＨ又はＰＵＳＣＨを示すものであるか明示する必要がある。
このため、コンポーネントキャリアを特定するためのＩＤとなる周波数帯域識別子（ＣＣ−ＩＤ：コンポーネントキャリアＩＤ）を導入し、ＰＤＣＣＨにＣＣ−ＩＤを伝送するためのＣＩＦ（キャリアインディケーターフィールド）を割り当てることが提案されている。ＣＩＦに配置される情報は、１〜３ビットでコンポーネントキャリアを特定することが可能である。
また、ＰＤＣＣＨと同じＣＣ内のＰＤＳＣＨと、ただ一つの対をなすＰＵＳＣＨと、を示す（のスケジューリング情報を伝送する）ＰＤＣＣＨの制御情報には、ＣＣ−ＩＤを付加しないことが知られている。【０００５】
一方、ＣＩＦのビット数を削減する方法も検討されている。非特許文献２には、ＡＣ（アンカーキャリア）以外のＣＣのみにＣＣ−ＩＤを割り振ること、つまり、ＡＣにＣＣ−ＩＤを割り振らないことが記載されている。
【先行技術文献】
【非特許文献】
【０００６】
【非特許文献１】３ＧＰＰ  ＴＳ３６．１０１  Ｖ９．２．０
【非特許文献２】３ＧＰＰ  寄書  Ｒ１−００９４６７７
【発明の概要】
【発明が解決しようとする課題】
【０００７】
しかしながら、非特許文献２記載の技術では、ＰＤＣＣＨにＣＣ−ＩＤが付加されていない場合に、ＰＤＣＣＨの制御情報が示すＰＤＳＣＨ或いはＰＵＳＣＨが、ＰＤＣＣＨと同じＣＣのものであるのか、又は、ＡＣのものであるのか、を特定することができないという欠点があった。つまり、非特許文献２記載の技術では、周波数帯域（ＣＣ）を柔軟かつ確実に特定することができない、という欠点があった。【０００８】
本発明は上記の点に鑑みてなされたものであり、周波数帯域を柔軟かつ確実に特定することができる通信システム、通信装置、通信制御方法、及び通信制御プログラムを提供する。
【課題を解決するための手段】
【０００９】
（１）本発明は上記の課題を解決するためになされたものであり、本発明は、第１の通信装置と、前記第１の通信装置と複数の周波数帯域を用いて通信する第２の通信装置と、を備える通信システムにおいて、前記第１の通信装置は、制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定し、前記第２の通信装置は、制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択することを特徴とする通信システムである。【００１０】
（２）また、本発明は、上記の通信システムにおいて、前記第１の通信装置は、前記制御情報で制御する情報を配置する周波数帯域を指定し、前記第２の通信装置は、前記制御情報で制御する情報が配置される周波数帯域を選択することを特徴とする。【００１１】
（３）また、本発明は、上記の通信システムにおいて、前記第１の通信装置は、前記制御情報で制御する情報を配置する周波数帯域を示す周波数帯域識別子を送信せず、前記第２の通信装置は、周波数帯域識別子がない場合には、前記制御情報が配置された周波数帯域を、前記制御情報で制御する情報を配置する周波数帯域として選択することを特徴とする。【００１２】
（４）また、本発明は、上記の通信システムにおいて、前記第１の通信装置は、前記対応情報を決定して送信し、前記第２の通信装置は、前記第１の通信装置から受信した前記対応情報を用いて、前記周波数帯域に配置された制御情報が示す周波数帯域を選択することを特徴とする。【００１３】
（５）また、本発明は、上記の通信システムにおいて、前記第２の通信装置は、前記第１の通信装置から前記対応情報を受信したことを示す受信完了通知を送信し、前記第１の通信装置は、前記第２の通信装置から前記受信完了通知を受信したことを示す受信確認通知を送信するとともに、受信確認通知の送信から予め定めた期間の経過後に、前記対応情報を用いて、前記周波数帯域に配置する制御情報が示す周波数帯域を指定し、前記第２の通信装置は、前記第１の通信装置から前記受信確認通知を受信し、受信から予め定めた期間の経過後に、前記対応情報を用いて、前記周波数帯域に配置する制御情報が示す周波数帯域を選択することを特徴とする。【００１４】
（６）また、本発明は、上記の通信システムにおいて、前記第１の通信装置は、前記周波数帯域を示す周波数帯域情報に基づいて、予め定めた規則によって前記対応情報を決定するとともに、前記周波数帯域情報を送信し、前記第２の通信装置は、前記第１の通信装置から受信した周波数帯域情報に基づいて、前記規則によって前記対応情報を決定することを特徴とする。【００１５】
（７）また、本発明は、上記の通信システムにおいて、前記第２の通信装置は、前記第１の通信装置から前記周波数帯域情報を受信したことを示す受信完了通知を送信し、前記第１の通信装置は、前記第２の通信装置から前記受信完了通知を受信したことを示す受信確認通知を送信するとともに、送信から予め定めた期間の経過後に、決定した周波数帯域識別子を用いて、前記周波数帯域に配置する制御情報が示す周波数帯域を指定し、前記第２の通信装置は、前記第１の通信装置から前記受信確認通知を受信し、受信から予め定めた期間の経過後に、決定した周波数帯域識別子を用いて、前記周波数帯域に配置する制御情報が示す周波数帯域を選択することを特徴とする。【００１６】
（８）また、本発明は、上記の通信システムにおいて、前記第１の通信装置は、前記周波数帯域識別子を含む前記制御情報を送信し、前記第２の通信装置は、前記第１の通信装置から受信した制御情報から周波数帯域識別子を抽出し、抽出した周波数帯域識別子を用いて、前記周波数帯域に配置された制御情報が示す周波数帯域を選択することを特徴とする。【００１７】
（９）また、本発明は、他の通信装置と複数の周波数帯域を用いて通信する通信装置において、制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定することを特徴とする通信装置である。【００１８】
（１０）また、本発明は、他の通信装置と複数の周波数帯域を用いて通信する通信装置において、制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択することを特徴とする通信装置である。【００１９】
（１１）また、本発明は、第２の通信装置と複数の周波数帯域を用いて通信する第１の通信装置における通信制御方法において、前記第２の通信装置が、制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定する過程を有することを特徴とする通信制御方法である。【００２０】
（１２）また、本発明は、第１の通信装置と複数の周波数帯域を用いて通信する第２の通信装置における通信制御方法において、前記第１の通信装置が、制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択する過程を有することを特徴とする通信制御方法である。【００２１】
（１３）また、本発明は、第２の通信装置と複数の周波数帯域を用いて通信する第１の通信装置のコンピュータに、制御情報の信号を配置する周波数帯域毎に異なる対応情報であって周波数帯域識別子と周波数帯域とを対応付けた対応情報に基づいて、周波数帯域識別子を用いて、前記周波数帯域に配置する制御情報が示す周波数帯域を指定する手順を実行させるための通信制御プログラムである。【００２２】
（１４）また、本発明は、第１の通信装置と複数の周波数帯域を用いて通信する第２の通信装置のコンピュータに、制御情報の信号が配置される周波数帯域毎に異なる対応情報であって周波数帯域識別子と周波数帯域とを対応付けた対応情報に基づいて、周波数帯域識別子を用いて、前記周波数帯域に配置された制御情報が示す周波数帯域を選択する手順を実行させるための通信制御プログラムである。
【発明の効果】
【００２３】
本発明によれば、周波数帯域を柔軟かつ確実に特定することができる。
【図面の簡単な説明】
【００２４】
【図１】本発明の実施形態に係るＤＬ通信の一例を示す概略図である。
【図２】本実施形態に係る端末装置の構成を示す概略ブロック図である。
【図３】本実施形態に係るＣＣ−ＩＤリストの一例を示す概略図である。
【図４】本実施形態に係るＣＣ−ＩＤリストの別の一例を示す概略図である。
【図５】本実施形態に係るリソース情報取得部の構成を示す概略ブロック図である。
【図６】本実施形態に係る基地局装置の構成を示す概略ブロック図である。
【図７】本実施形態に係る基地局装置の情報設定部の構成を示す概略ブロック図である。
【図８】本実施形態に係る端末装置の情報設定部の構成を示す概略ブロック図である。
【図９】本実施形態に係る通信システムの動作の一例を示すシーケンス図である。
【図１０】本実施形態に係る通信システムの動作の別の一例を示すシーケンス図である。
【図１１】本実施形態の変形例に係る基地局装置の情報設定部の構成を示す概略ブロック図である。
【図１２】本変形例に係る端末装置の情報設定部の構成を示す概略ブロック図である。
【発明を実施するための形態】
【００２５】
以下、図面を参照しながら本発明の実施形態について詳しく説明する。
図１は、本発明の実施形態に係るＤＬ通信の一例を示す概略図である。
下記の実施形態では、基地局装置と端末装置が、次の（１）〜（６）条件でＤＬ（Ｄｏｗｎ  Ｌｉｎｋ；下りリンク）の通信（ＤＬ通信という）を行う場合について説明をする。ただし、本発明はこの条件に限られない。
【００２６】
（１）ＤＬ−ＣＣ数：５ＣＣ
ここで、ＤＬ−ＣＣ数とは、端末がＤＬ通信を受信するＣＣ（Ｃｏｍｐｏｎｅｎｔ  Ｃａｒｅｅｒ；コンポーネントキャリア）の数である。図１では、ＤＬ通信で５個のＣＣを用いることを示す。また、ＤＬ通信でのＣＣの組合せをＤＬ−ＣＣセットという。また、各ＤＬ−ＣＣを次のように称する。
（２）ＤＬ−ＣＣの周波数帯域情報：ＣＣ−Ａ（ｆ１）、ＣＣ−Ｂ（ｆ２）、ＣＣ−Ｃ（ｆ３）、ＣＣ−Ｄ（ｆ４）、ＣＣ−Ｅ（ｆ５）
ここで、周波数帯域情報は、ＣＣを識別する情報である。なお、カッコ内の記号は、各ＤＬ−ＣＣに対応する周波数バンド（周波数帯域）を示す。図１は、周波数バンドｆ１、ｆ２、ｆ３、ｆ４、ｆ５が順に、周波数の高いことを示す。以下では、この周波数バンドを周波数帯域情報と称するが、ＣＣ−Ａ等の識別情報と周波数バンドとの関係を予め対応付けておき、ＣＣ−Ａ等の識別情報を用いてもよい。
【００２７】
（３）モニタリングＣＣ：ＣＣ−Ｂ、ＣＣ−Ｄ
モニタリングＣＣとは、ＰＤＳＣＨのユーザデータに対する制御情報（マッピング情報（スケジューリング情報）を含む）を配置するＣＣである。このＣＣでは、各ユーザデータに対する制御情報は、それぞれ異なるＤＣＩ（Ｄｏｗｎｌｉｎｋ  Ｃｏｎｔｒｏｌ  Ｉｎｆｏｒｍａｔｉｏｎ）フォーマットで配置される。図１では、ＣＣ−Ｂに、符号１１、１２、１３を付した制御情報１１、１２、１３が配置されることを示す。また、図１では、ＣＣ−Ｂに、符号１４、１５を付した制御情報１４、１５が配置されることを示す。
ここで、これらの制御情報で制御するユーザデータには、モニタリングＣＣと同じＣＣのものと、異なるＣＣのものがある。なお、マッピング情報は、端末装置１ａ宛のユーザデータが、ＣＣ内のどのリソースブロックに配置されているかを示す情報である。つまり、ＣＣ内でのデータ配置情報である。
【００２８】
（４）ユーザデータは、ＣＣ−Ａ、ＣＣ−Ｂ、ＣＣ−Ｄ、ＣＣ−Ｅに配置される。
ここで、ＣＣ−Ａ、ＣＣ−Ｂ、ＣＣ−Ｅには、それぞれ、１つのユーザデータが配置される。また、ＣＣ−Ｄには、２つのユーザデータが配置される。
図１では、符号２１、２２、２５を付したユーザデータ２１、２２、２５が、それぞれ、ＣＣ−Ａ、ＣＣ−Ｂ、ＣＣ−Ｅに配置されていることを示す。また、符号２３、２４を付したユーザデータ２３、２４が、ＣＣ−Ｄに配置されていることを示す。
【００２９】
（５）ＣＣ−Ａ、ＣＣ−Ｂ、ＣＣ−Ｄ（のうち１つ）のＰＤＳＣＨのユーザデータに対する制御情報は、ＣＣ−Ｂに配置される。
図１は、制御情報１１、１２、１３が、それぞれ、ユーザデータ２１、２２、２３に対する制御情報であることを示す。
（６）ＣＣ−Ｄ（のうち１つ）、ＣＣ−ＥのＰＤＳＣＨのユーザデータに対する制御情報は、ＣＣ−Ｂに配置される。図１は、制御情報１４、１５が、それぞれ、ユーザデータ２４、２５に対する制御情報であることを示す。
【００３０】
また、図１において、制御情報１１、１３、１５には、ＣＩＦ（Ｃａｒｒｉｒ  Ｉｎｄｉｃａｔｏｒ  Ｆｉｅｌｄ；キャリアインディケーターフィールド）が割り当てられる。このＣＩＦには、網掛けでハッチングした周波数帯域識別子（ＣＣ−ＩＤ；例えば、制御情報１１では符号１１２を付した情報）が配置される。一方、制御情報１２、１４には、ＣＩＦが割り当てられない。つまり、ＰＤＣＣＨと同じＣＣのＰＤＳＣＨのユーザデータに対する制御情報には、ＣＩＦを割り当てないので、ＣＣ−ＩＤも配置されていない。なお、端末装置は、各ＣＣの周波数情報（周波数バンド）を予め記憶している。
【００３１】
＜端末装置１ａの構成について＞
図２は、本実施形態に係る端末装置１ａの構成を示す概略ブロック図である。この図において、端末装置１ａは、ＣＡ（Ｃａｒｒｉｅｒ  Ａｇｇｒｅｇａｔｉｏｎ；キャリアアグリゲーション）情報保持部１０１ａ、アンテナ１０２ａ、受信部１０３ａ、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）信号処理部１０４ａ、受信データ保持部１０５ａ、ＰＣＦＩＣＨ（物理コントロールフォーマットインジケータチャネル）情報取得部１０６ａ、ＰＣＦＩＣＨ情報保持部１０７ａ、モニタリングセット抽出部１０８ａ、ＣＣ−ＩＤ情報保持部１０９ａ、データ処理部１１ａ−１、１１ａ−２、ＤＬ−ＣＣセットユーザデータ合成部１２１ａ、アプリケーション部１２２ａ、及び情報設定部１３ａを含んで構成される。
【００３２】
ここで、データ処理部は、モニタリングＣＣ毎に設けられる。データ処理部１１ａ−１、１１ａ−２は、それぞれ、ＣＣ−Ｂ、ＣＣ−Ｄに対するものである。データ処理部１１ａ−１、１１ａ−２は、それぞれ、ＤＣＩフォーマット取得部１１１ａ、リソース情報取得部１１２ａ、ユーザデータ取得部１１３ａ、及び、モニタリングＣＣユーザデータ合成部１１４ａを含んで構成される。なお、データ処理部１１ａ−１、１１ａ−２が持つ機能は同じであるので、以下では、データ処理部１１ａ−１を代表して説明する。
また、端末装置１ａは、その他、端末装置の一般的な公知の機能（例えば、画面やスピーカ、マイク、入力ボタン）を備える。
【００３３】
ＣＡ情報保持部１０１ａは、基地局装置１ｂから予め通知されたＣＡ情報であって情報設定部１３ａから入力されたＣＡ情報を記憶する。ここで、ＣＡ情報は、アンカーキャリア（ＡＣ）の周波数帯域情報、ＤＬ−ＣＣセットに含まれるＣＣ各々の周波数帯域情報（ＤＬ−ＣＣセット情報という）、及び、モニタリングＣＣの周波数帯域情報（モニタリングセット情報という）を含む情報である。なお、アンカーキャリアとは、端末装置が待ち受け中に、このキャリアのみを受信可能な状態にして、通信の有無をモニタするキャリアである。なお、本実施形態では、モニタリングＣＣの１つであるＣＣ−Ｂがアンカーキャリアとして選択されている場合について説明をする。
ＣＡ情報保持部１０１ａは、ＤＬ−ＣＣセット情報を受信部１０３ａに出力する。また、ＣＡ情報保持部１０１ａは、モニタリングセット情報を、モニタリングセット抽出部１０８ａに出力する。
【００３４】
受信部１０３ａは、ＣＡ情報保持部１０１ａから入力されたＤＬ−ＣＣセット情報が示す周波数帯域各々で、ＤＬ通信の信号を受信する。受信部１０３ａは、受信したＣＣ毎の信号をダウンコンバートして、ＯＦＤＭ信号処理部１０４ａに出力する。なお、このＣＣ毎の信号の個数はＤＬ−ＣＣ数（図１では５つ）である。また、受信部１０３ａは、これらのＣＣ毎の信号を、受信したＣＣの周波数帯域情報であってＤＬ−ＣＣセット情報の周波数帯域情報に対応付けて出力する。
【００３５】
ＯＦＤＭ信号処理部１０４ａは、受信部１０３ａから入力された信号からＣＣ毎の受信データを取得する。具体的には、ＯＦＤＭ信号処理部１０４ａは、受信部１０３ａから入力された信号各々を、アナログデジタル変換して、ガードインターバルを除去する。ＯＦＤＭ信号処理部１０４ａは、除去後の信号を高速フーリエ変換してデマッピングし、デマッピングした信号を復調して復号することで、受信データを取得する。
ＯＦＤＭ信号処理部１０４ａは、取得した受信データを、受信データ保持部１０５ａ、ＰＣＦＩＣＨ情報取得部１０６ａ、及びモニタリングセット抽出部１０８ａに出力する。
【００３６】
受信データ保持部１０５ａは、ＯＦＤＭ信号処理部１０４ａから入力されたＣＣ毎の受信データを記憶する。受信データ保持部１０５ａは、記憶した受信データを、ユーザデータ取得部１１３ａに出力する。
ＰＣＦＩＣＨ情報取得部１０６ａは、ＯＦＤＭ信号処理部１０４ａから入力されたＣＣ毎の受信データから、ＰＣＦＩＣＨ情報を抽出する。ここで、ＰＣＦＩＣＨ情報には、ＰＣＦＩＣＨの送信されたＣＣ内でＰＤＣＣＨに割り当てられたＯＦＤＭシンボル数を示す情報が含まれる。ＰＣＦＩＣＨ情報取得部１０６ａは、抽出したＰＣＦＩＣＨ情報を、ＰＣＦＩＣＨ情報保持部１０７ａに出力する。
ＰＣＦＩＣＨ情報保持部１０７ａは、ＰＣＦＩＣＨ情報取得部１０６ａから入力されたＰＣＦＩＣＨ情報を記憶する。ＰＣＦＩＣＨ情報保持部１０７ａは、記憶したＰＣＦＩＣＨ情報を、ＤＣＩフォーマット取得部１１１ａ及びユーザデータ取得部１１３ａに出力する。
【００３７】
モニタリングセット抽出部１０８ａは、ＣＡ情報保持部１０１ａから入力されたモニタリングセット情報の周波数帯域情報に基づいて、モニタリングＣＣに配置された信号のデータを抽出する。モニタリングセット抽出部１０８ａは、抽出したモニタリングＣＣ毎のデータを、対応するデータ処理部１１ａ−１のＤＣＩフォーマット取得部１１１ａに出力する。具体的には、モニタリングセット抽出部１０８ａは、ＣＣ−Ｂ、ＣＣ−Ｄに配置された信号のデータを、それぞれ、データ処理部１１ａ−１、１１ａ−２のＤＣＩフォーマット取得部１１１ａに出力する。なお、モニタリングセット抽出部１０８ａは、モニタリングＣＣ毎のデータのうち、ＰＤＣＣＨに配置された信号のデータのみを抽出して、対応するＤＣＩフォーマット取得部１１１ａに出力してもよい。
【００３８】
ＣＣ−ＩＤ情報保持部１０９ａは、情報設定部１３ａから入力されたＣＣ−ＩＤ情報を記憶する。ここで、ＣＣ−ＩＤ情報は、ＤＣＩフォーマット毎のＣＩＦの長さを示すＣＩＦサイズ情報、及び、モニタリングＣＣの周波数帯域情報毎のＣＣ−ＩＤリスト（図３参照）を記憶する。ここで、ＣＩＦサイズ情報は、ＣＩＦのビット数を示す情報である。また、ＣＣ−ＩＤリストとは、周波数帯域情報とＣＣ−ＩＤとを対応付けた情報のリストである。
【００３９】
データ処理部１１ａ−１のＤＣＩフォーマット取得部１１１ａは、ＰＣＦＩＣＨ情報保持部１０７ａから入力されたＰＣＦＩＣＨ情報に基づいて、各ＤＣＩフォーマットで配置された制御情報を抽出する。つまり、ＰＣＦＩＣＨ情報から1サブフレーム内でＰＤＣＣＨに割り当てられているＯＦＤＭシンボル数が通知される。このＰＤＣＣＨのシンボル数と使用している周波数帯域幅からブラインドデコーディングを行うＰＤＣＣＨのデータサイズが特定される。次に、ＤＣＩフォーマット取得部１１１ａは、ブラインドデコーディング（Ｂｌｉｎｄ  ｄｅｃｏｄｉｎｇ；総当り復号）を用いてＤＣＩフォーマットの制御情報を抽出する。これにより、ＤＣＩフォーマット取得部１１１ａは、形式が異なるＤＣＩフォーマットの制御情報を抽出でき、また、形式が同じ又は異なる複数個のＤＣＩフォーマットの制御情報を抽出することができる。具体的には、図１に示したＤＬ通信の場合、ＤＣＩフォーマット取得部１１１ａは、３つのＤＣＩフォーマットを用いて、制御情報１１、１２、１３を抽出する。
ここで、制御情報には、同じＣＣ（ＣＣ−Ｂ）のユーザデータに対する制御情報（自ＣＣ制御情報という）と、異なるＣＣ（ＣＣ−Ｂ以外）のユーザデータに対する制御情報（他ＣＣ制御情報という）が含まれている。また、図１に示したように、他ＣＣ制御情報には、ＣＩＦが割り当てられ、ＣＣ−ＩＤが配置されている。一方、自ＣＣ制御情報には、ＣＩＦが割り当てられず、ＣＣ−ＩＤも配置されない。
ＤＣＩフォーマット取得部１１１ａは、抽出した制御情報を、ＤＣＩフォーマットの制御情報（図１の例では、制御情報１１、１２、１３）毎にリソース情報取得部１１２ａに出力する。
【００４０】
リソース情報取得部１１２ａは、ＣＣ−ＩＤ情報保持部１０９ａから入力されたＣＣ−ＩＤ情報が示すＣＩＦの長さに基づいて、ＤＣＩフォーマット取得部１１１ａから入力された制御情報各々から、制御情報に対する（制御情報で制御される）ユーザデータが配置されたＣＣのＣＣ−ＩＤと、このＣＣ−ＩＤのＣＣのマッピング情報と、を抽出する。なお、ＣＣ−ＩＤ情報保持部１０９ａから入力されたＣＣ−ＩＤ情報のＣＣ−ＩＤリストは、データ処理部（モニタリングＣＣ）毎に異なる（一部のデータ処理部で同じ場合があってもよい）。よって、データ処理部１１ａ―１とデータ処理部１１ａ―２のリソース情報取得部１１２ａでは、制御情報に対するユーザデータが配置されたＣＣが同じ周波数帯域情報のＣＣであっても、抽出されるＣＣ−ＩＤは異なることとなる。
リソース情報取得部１１２ａは、抽出したＣＣ−ＩＤを、ＣＣ−ＩＤ情報で対応付けられた周波数帯域情報に変換する。リソース情報取得部１１２ａは、制御情報毎に、変換した周波数帯域情報とマッピング情報とを、ユーザデータ取得部１１３ａに出力する。リソース情報取得部１１２ａが行う処理の詳細については、後述する。
【００４１】
ユーザデータ取得部１１３ａには、受信データ保持部１０５ａからＣＣ毎の受信データが入力される。ユーザデータ取得部１１３ａは、制御情報毎に、リソース情報取得部１１２ａから入力された周波数帯域情報が示すＣＣの受信データを選択し、選択した受信データからマッピング情報（ＣＣ内でのデータ配置情報）を用いてユーザデータを抽出する。すなわち、ユーザデータ取得部１１３ａは、制御情報の信号が配置されるモニタリングＣＣ毎に異なるＣＣ−ＩＤを用いて、モニタリングＣＣに配置された制御情報が示すＣＣを選択する。ユーザデータ取得部１１３ａは、制御情報毎に、抽出したユーザデータをモニタリングＣＣユーザデータ合成部１１４ａに出力する。
モニタリングＣＣユーザデータ合成部１１４ａは、ユーザデータ取得部１１３ａから入力された制御情報毎のユーザデータを合成する。つまり、モニタリングＣＣ毎に、このＣＣに配置された制御情報が示すユーザデータを合成する。モニタリングＣＣユーザデータ合成部１１４ａは、合成したユーザデータをＤＬ−ＣＣセットユーザデータ合成部１２１ａに出力する。
【００４２】
ＤＬ−ＣＣセットユーザデータ合成部１２１ａは、データ処理部１１ａ―１とデータ処理部１１ａ―２のモニタリングＣＣユーザデータ合成部１１４ａから入力されたユーザデータを合成する。ＤＬ−ＣＣセットユーザデータ合成部１２１ａは、合成したユーザデータをアプリケーション部１２２ａ及び情報設定部１３ａに出力する。
アプリケーション部１２２ａは、ＤＬ−ＣＣセットユーザデータ合成部１２１ａから入力されたユーザデータに基づいて、アプリケーションを実行する。
情報設定部１３ａは、ＤＬ−ＣＣセットユーザデータ合成部１２１ａから入力されたユーザデータからＣＡ情報及びＣＣ−ＩＤ情報を取得する。情報設定部１３ａは、取得したＣＡ情報をＣＡ情報保持部１０１ａに出力する。情報設定部１３ａは、取得したＣＣ−ＩＤ情報をＣＣ−ＩＤ情報保持部１０９ａに出力する。
なお、情報設定部１３ａが行う処理の詳細については、後述する。
【００４３】
＜ＣＣ−ＩＤリストについて＞
図３、４は、本実施形態に係るＣＣ−ＩＤリストの一例を示す概略図である。ここで、図３、４は、それぞれ、モニタリングＣＣの周波数帯域情報が「ｆ２」（ＣＣ−Ｂ）、「ｆ４」（ＣＣ−Ｄ）である場合のＣＣ−ＩＤリストである。また、図３、４のＣＣ−ＩＤリストは、それぞれ、データ処理部１１ａ―１、１１ａ―２のリソース情報取得部１１２ａに入力されるものである。
なお、図３、４は、周波数帯域情報がｆ１、ｆ２、ｆ３、ｆ４、ｆ５のＣＣの順に周波数が高いことを示す。
【００４４】
図３において、例えば、周波数帯域情報「ｆ１」とＣＣ−ＩＤ「４」が対応付けられている。つまり、「ｆ２」のモニタリングＣＣに配置された制御情報は、周波数帯域情報「ｆ１」の周波数帯域をＣＣ−ＩＤ「４」として指定する。また、この図は、ＣＣ−ＩＤリストに、周波数帯域情報「ｆ２」がないことを示す。つまり、モニタリングＣＣである周波数帯域情報「ｆ２」のＣＣは、ＣＩＦがないことで指定されるので、どのＣＣ−ＩＤにも対応付けられていないことを示す。
なお、図３は、周波数が高いＣＣの周波数帯域情報の順（ｆ１→ｆ２→ｆ３→ｆ４→ｆ５）に対して、ＣＣ−ＩＤの番号（自然数）の順を２個ずらして、番号を巡回させるように（４→１→２→３）、ＣＣ−ＩＤを割り当てた場合の例である。
【００４５】
図４において、例えば、周波数帯域情報「ｆ１」とＣＣ−ＩＤ「２」が対応付けられている。つまり、「ｆ４」のモニタリングＣＣに配置された制御情報は、周波数帯域情報「ｆ１」の周波数帯域をＣＣ−ＩＤ「２」として指定する。このように、図３と図４では、同じ周波数帯域情報のＣＣであっても、割り当てられるＣＣ−ＩＤが異なる。
なお、図４は、周波数が高いＣＣの周波数帯域情報の順（ｆ１→ｆ２→ｆ３→ｆ４→ｆ５）に対して、ＣＣ−ＩＤの番号の順を４個ずらして、番号を巡回させるように（２→３→４→１）、ＣＣ−ＩＤを割り当てた場合の例である。
【００４６】
＜リソース情報取得部１１２ａについて＞
図５は、本実施形態に係るリソース情報取得部１１２ａの構成を示す概略ブロック図である。この図において、リソース情報取得部１１２ａは、ＣＩＦ取得部１１２１ａ、周波数情報取得部１１２２ａ、及びマッピング情報取得部１１２３ａを含んで構成される。
【００４７】
ＣＩＦ取得部１１２１ａは、符号Ｓ２２を付した制御情報を入力される。ここで、自ＣＣ制御情報のＤＣＩフォーマットと、他ＣＣ制御情報のＤＣＩフォーマットとでは、形式が異なる。ＣＩＦ取得部１１２１ａは、予め記憶するＤＣＩフォーマットの形式に基づいて、入力された制御情報が自ＣＣ制御情報であるか、又は他ＣＣ制御情報であるかを判定する。
自ＣＣ制御情報であると判定場合、ＣＩＦ取得部１１２１ａは、入力された制御情報をそのままマッピング情報取得部１１２３ａに出力する。また、この場合、ＣＩＦ取得部１１２１ａは、「ＣＩＦなし」を示す情報を周波数情報取得部１１２２ａに出力する。
一方、他ＣＣ制御情報であると判定した場合、ＣＩＦ取得部１１２１ａは、ＣＣ−ＩＤ情報保持部１０９ａから入力されたＣＩＦサイズ情報に基づいて、ＣＩＦの情報とＣＩＦ以外の情報とを分割する。ＣＩＦ取得部１１２１ａは、分割したＣＩＦ以外の情報をマッピング情報取得部１１２３ａに出力する。また、ＣＩＦ取得部１１２１ａは、分割したＣＩＦの情報を周波数情報取得部１１２２ａに出力する。
【００４８】
なお、ＣＩＦを含むＤＣＩフォーマットの構成は、従来技術（例えば、３ＧＰＰ  Ｒｅｌ．８記載の技術）に係るＤＣＩフォーマットのうち、まだ、未使用（配置する情報が未決定）の部分を、ＣＩＦとして割り当ててもよい。例えば、ＤＣＩフォーマットのうち、後ろからｎビットをＣＩＦとして割り当てる。
また、従来技術に係るＤＣＩフォーマットの外部にＣＩＦ用のビットを追加してもよい。例えば、ＤＣＩフォーマットの直後に、ｎビットのＣＩＦ用のビットを追加してもよい。
【００４９】
周波数情報取得部１１２２ａは、ＣＩＦ取得部１１２１ａから入力されたＣＩＦの情報を、端末装置１ａと基地局装置１ｂとで共通の変換規則に従って、ＣＣ−ＩＤに変換する。具体的に、ｎ＝２ビットとしたときには、例えば、ＣＣ−ＩＤを２進数で表す。つまり、ＣＩＦの情報（ビット列）が「００」、「０１」、「１０」、「１１」の場合には、それぞれ、ＣＣ−ＩＤを「１」、「２」、「３」、「４」とする。なお、変換規則は、これに限らず、Ｎ（Ｎ＝２以外）進法であってもよいし、予め定めた関数を利用してもよい。また、ＣＩＦの情報とＣＣ−ＩＤの対応情報を用いて変換してもよい。
【００５０】
周波数情報取得部１１２２ａは、ＣＣ−ＩＤ情報保持部１０９ａから入力されたＣＣ−ＩＤリストに基づいて、変換したＣＣ−ＩＤを周波数帯域情報（周波数バンド：ｆ１、ｆ２、・・・）に変換する。例えば、変換したＣＣ−ＩＤが「４」である場合には、このＣＣ−ＩＤを、図３のＣＣ−ＩＤリストに基づいて、周波数帯域情報「ｆ１」（ＣＣ−Ａ）に変換する。
また、周波数情報取得部１１２２ａは、ＣＩＦ取得部１１２１ａから「ＣＩＦなし」を示す情報が入力された場合には、予め記憶する自ＣＣ（制御情報が配置されていたＣＣと同じＣＣ）を示す周波数帯域情報（本実施形態では、ｆ２）を読み出す。周波数情報取得部１１２２ａは、変換又は読み出した周波数帯域情報を、制御情報に対するユーザデータが配置されるＣＣの周波数帯域情報として、出力する。
【００５１】
マッピング情報取得部１１２３ａは、ＣＩＦ取得部１１２１ａから入力されたＣＩＦ以外の情報から、マッピング情報を抽出する。なお、このマッピング情報に対するユーザデータが配置されたＣＣは、周波数情報取得部１１２２ａが出力する周波数帯域情報によって示される。
リソース情報取得部１１２ａは、上記の処理を、抽出された制御情報の数（ＤＣＩフォーマットの数）だけ行い、制御情報毎に周波数帯域情報とマッピング情報を出力する。
【００５２】
＜基地局装置１ｂの構成について＞
図６は、本実施形態に係る基地局装置１ｂの構成を示す概略ブロック図である。この図において、基地局装置１ｂは、伝搬路情報保持部１０１ｂ、通信要求情報保持部１０２ｂ、情報設定部１１ｂ、ＣＡ情報保持部１２１ｂ、ＣＣ−ＩＤ情報保持部１２２ｂ、受信部１２３ｂ、ユーザデータ保持部１２４ｂ、マッピング決定部１２５ｂ、リソース情報生成部１２６ｂ、ＯＦＤＭ信号処理部１２７ｂ、送信部１２８ｂ、及びアンテナ１２９ｂを含んで構成される。
【００５３】
伝搬路情報保持部１０１ｂは、端末装置１ａと基地局装置１ｂ間の伝搬路の品質を示すＣＱＩ（Ｃｈａｎｎｅｌ  Ｑｕａｌｉｔｙ  Ｉｎｄｉｃａｔｏｒ）を記憶する。なお、このＣＱＩは、端末装置１ａから通知されたものである。伝搬路情報保持部１０１ｂは、記憶するＣＱＩをマッピング決定部１２５ｂ及び情報設定部１１ｂに出力する。
通信要求情報保持部１０２ｂは、端末装置１ａと基地局装置１ｂ間の通信要求を示すＱｏＳ（Ｑｕａｌｉｔｙ  ｏｆ  Ｓｅｒｖｉｃｅ）を記憶する。通信要求情報保持部１０２ｂは、記憶するＱｏＳを、マッピング決定部１２５ｂ及び情報設定部１１ｂに出力する。
【００５４】
情報設定部１１ｂは、伝搬路情報保持部１０１ｂから入力されたＣＱＩ及び通信要求情報保持部１０２ｂから入力されたＱｏＳに基づいて、端末装置１ａ毎のＣＡ情報及びＣＣ−ＩＤ情報を生成する。情報設定部１１ｂは、生成したＣＡ情報をＣＡ情報保持部１２１ｂに出力し、生成したＣＣ−ＩＤ情報をＣＣ−ＩＤ情報保持部１２２ｂに出力する。また、情報設定部１１ｂは、生成した端末装置１ａ毎のＣＡ情報及びＣＣ−ＩＤ情報を、その端末装置１ａ宛のデータとしてＯＦＤＭ信号処理部１２７ｂに出力する。
なお、情報設定部１１ｂが行う処理の詳細については、後述する。
【００５５】
ＣＡ情報保持部１２１ｂは、情報設定部１１ｂから入力されたＣＡ情報を端末装置１ａ毎に記憶する。ＣＡ情報保持部１２１ｂは、記憶するＣＡ情報をマッピング決定部１２５ｂに出力する。
ＣＣ−ＩＤ情報保持部１２２ｂは、情報設定部１１ｂから入力されたＣＣ−ＩＤ情報を端末装置１ａ毎に記憶する。ＣＣ−ＩＤ情報保持部１２２ｂは、記憶するＣＣ−ＩＤ情報をマッピング決定部１２５ｂ及びリソース情報生成部１２６ｂに出力する。
【００５６】
受信部１２３ｂは、ＣＮ（コアネットワーク）に接続され、他の装置から各端末装置１ａ宛のユーザデータを受信する。受信部１２３ｂは、受信したユーザデータをマッピング決定部１２５ｂ及びユーザデータ保持部１２４ｂに出力する。
ユーザデータ保持部１２４ｂは、受信部１２３ｂから入力されたユーザデータを記憶する。ユーザデータ保持部１２４ｂは、記憶するユーザデータをＯＦＤＭ信号処理部１２７ｂに出力する。
【００５７】
マッピング決定部１２５ｂは、伝搬路情報保持部１０１ｂから入力されたＣＱＩ、通信要求情報保持部１０２ｂから入力されたＱｏＳ、ＣＡ情報保持部１２１ｂから入力されたＣＡ情報、受信部１２３ｂから入力されたユーザデータに基づいて、各端末装置１ａについてＣＣ内でのマッピングを決定する。具体的には、マッピング決定部１２５ｂは、ＰＤＳＣＨの空き状況に応じて、ユーザデータのＰＤＳＣＨへのマッピングを決定する。
マッピング決定部１２５ｂは、決定したマッピングを示すマッピング情報を、リソース情報生成部１２６ｂ及びＯＦＤＭ信号処理部１２７ｂに出力する。
【００５８】
リソース情報生成部１２６ｂは、マッピング決定部１２５ｂから入力されたマッピング情報から、各ユーザデータのＣＣ毎のマッピング情報を抽出する。リソース情報生成部１２６ｂは、抽出したマッピング情報を配置するＣＣ（モニタリングＣＣ）と、ユーザデータを配置するＣＣと、が異なる場合、制御情報にＣＩＦを割り当てる。
リソース情報生成部１２６ｂは、ＣＣ−ＩＤ情報保持部１２２ｂから入力されたＣＣ−ＩＤ情報に基づいて、ユーザデータを配置するＣＣの周波数帯域情報をＣＣ−ＩＤに変換する。リソース情報生成部１２６ｂは、ＤＣＩフォーマットに従って、マッピング情報と（ＣＩＦを割り当てた場合には）ＣＣ−ＩＤを含む制御情報を生成する。リソース情報生成部１２６ｂは、生成した制御情報をＯＦＤＭ信号処理部１２７ｂに出力する。
【００５９】
ＯＦＤＭ信号処理部１２７ｂは、リソース情報生成部１２６ｂから入力された制御情報、及び、ユーザデータ保持部１２４ｂから入力されたユーザデータを、信号に変換して送信部１２８ｂに出力する。具体的には、ＯＦＤＭ信号処理部１２７ｂは、制御データ及びユーザデータを符号化して変調する。ＯＦＤＭ信号処理部１２７ｂは、マッピング決定部１２５ｂから入力されたマッピング情報に基づいて、変調した信号をマッピングする。ＯＦＤＭ信号処理部１２７ｂは、マッピングした信号を逆高速フーリエ変換して、ガードインターバルを挿入する。ＯＦＤＭ信号処理部１２７ｂは、挿入後の信号をデジタルアナログ変換して、送信部１２８ｂに出力する。
送信部１２８ｂは、ＯＦＤＭ信号処理部１２７ｂから入力された信号をアップコンバートして、アンテナ１２９ｂを介して送信する。
【００６０】
＜情報設定処理について＞
以下、情報設定部１１ｂ及び情報設定部１３ａが行う処理の詳細について説明をする。
図７は、本実施形態に係る基地局装置１ｂの情報設定部１１ｂの構成を示す概略ブロック図である。この図において、情報設定部１１ｂは、ＣＡ情報決定部１１１ｂ及びＣＣ−ＩＤ情報決定部１１２ｂを含んで構成される。
【００６１】
ＣＡ情報決定部１１１ｂは、伝搬路情報保持部１０１ｂから入力されたＣＱＩ及び通信要求情報保持部１０２ｂから入力されたＱｏＳに基づいて、端末装置１ａ毎に、アンカーキャリア、ＤＬ−ＣＣセット、モニタリングＣＣを決定する。ＣＡ情報決定部１１１ｂは、決定したアンカーキャリア、ＤＬ−ＣＣセット、モニタリングＣＣを示すＣＡ情報を生成する。ＣＡ情報決定部１１１ｂは、生成した端末装置１ａ毎のＣＡ情報を、ＣＡ情報保持部１２１ｂ、ＣＣ−ＩＤ情報決定部１１２ｂ、及びＯＦＤＭ信号処理部１２７ｂに出力する。なお、ＯＦＤＭ信号処理部１２７ｂに出力されたＣＡ情報は、そのＣＡ情報の端末装置１ａに送信される。
【００６２】
ＣＣ−ＩＤ情報決定部１１２ｂは、ＣＡ情報決定部１１１ｂから入力されたＣＡ情報に基づいて、端末装置１ａ毎にＣＩＦサイズ情報、及び、端末装置１ａのモニタリングＣＣ毎にＣＣ−ＩＤリストを生成する。
具体的には、ＣＣ−ＩＤ情報決定部１１２ｂは、ＤＬ−ＣＣセットに含まれるＣＣの数から１を減算した数を算出し、その数を表すことができる最小のビット数ｎを決定する。例えば、ＣＣ−ＩＤを２進数とする場合、ＣＣ−ＩＤ情報決定部１１２ｂは、ＣＣの数−１≦２ｎを満たす最小のｎをＣＩＦサイズとして決定する。また、例えば、ＣＣ−ＩＤ情報決定部１１２ｂは、モニタリングＣＣに昇順の番号Ｍ（Ｍは自然数）を割り当てる。ＣＣ−ＩＤ情報決定部１１２ｂは、モニタリングＣＣ毎に周波数が高いＣＣの周波数帯域情報の順に対して、ＣＣ−ＩＤの番号の順をＭ個ずらして、番号を巡回させるようにＣＣ−ＩＤを割り当てることにより、ＣＣ−ＩＤリストを生成する。
なお、本発明はこれに限らず、ＣＣ−ＩＤ情報決定部１１２ｂは、他の処理によってＣＩＦサイズを決定してもよいし、また、ＣＣ−ＩＤを割り当ててもよい。
ＣＣ−ＩＤ情報決定部１１２ｂは、決定したＣＩＦサイズ及び生成したＣＣ−ＩＤリストを含むＣＣ−ＩＤ情報を、ＣＣ−ＩＤ情報保持部１２２ｂ、及びＯＦＤＭ信号処理部１２７ｂに出力する。なお、ＯＦＤＭ信号処理部１２７ｂに出力されたＣＣ−ＩＤ情報は、そのＣＣ−ＩＤ情報の端末装置１ａに送信される。
【００６３】
図８は、本実施形態に係る端末装置１ａの情報設定部１３ａの構成を示す概略ブロック図である。この図において、情報設定部１３ａは、ＣＡ情報取得部１３１ａ及びＣＣ−ＩＤ情報取得部１３２ａを含んで構成される。
【００６４】
ＣＡ情報取得部１３１ａは、ＤＬ−ＣＣセットユーザデータ合成部１２１ａから入力されたユーザデータからＣＡ情報を取得し、ＣＡ情報保持部１０１ａに出力する。
ＣＣ−ＩＤ情報取得部１３２ａは、ＤＬ−ＣＣセットユーザデータ合成部１２１ａから入力されたユーザデータからＣＣ−ＩＤ情報を取得し、ＣＣ−ＩＤ情報保持部１０９ａに出力する。
【００６５】
＜通信システムの動作について＞
図９は、本実施形態に係る通信システムの動作の一例を示すシーケンス図である。この図は、待ち受け状態にある端末装置１ａに、通信要求が発生した場合の一例である。
【００６６】
（ステップＳ１０１）端末装置１ａは、アンカーキャリアであるＣＣ−Ｂで、通信の待ち受け状態にある。その後、ステップＳ１０２に進む。
（ステップＳ１０２）端末装置１ａ又は基地局装置１ｂでは、通信要求が発生する。その後、ステップＳ１０３に進む。
（ステップＳ１０３）基地局装置１ｂは、ＣＡ情報を決定して保持する。その後、ステップＳ１０４に進む。
（ステップＳ１０４）基地局装置１ｂは、ＣＣ−ＩＤ情報を決定して保持する。その後、ステップＳ１０５に進む。
（ステップＳ１０５）基地局装置１ｂは、ステップＳ１０３、Ｓ１０４で決定したＣＡ情報及びＣＣ−ＩＤ情報を、アンカーキャリアを用いて、端末装置１ａに通知する。その後、ステップＳ１０６に進む。
【００６７】
（ステップＳ１０６）端末装置１ａは、ステップＳ１０５で通知されたＣＡ情報を保持する（通知されたＣＡ情報で、ＣＡ情報の記憶領域を更新する）。その後、ステップＳ１０７に進む。
（ステップＳ１０７）端末装置１ａは、ステップＳ１０５で通知されたＣＣ−ＩＤ情報を保持する（通知されたＣＣ−ＩＤ情報で、ＣＣ−ＩＤ情報の記憶領域を更新する）。その後、ステップＳ１０８に進む。
（ステップＳ１０８）端末装置１ａは、ＣＡ技術を用いた通信を行う準備を行う。その後、ステップＳ１０９に進む。
【００６８】
（ステップＳ１０９）端末装置１ａは、ステップＳ１０３及びＳ１０４で決定されたＣＡ情報及びＣＣ−ＩＤ情報を受信したことを示す受信完了通知（ｃｏｍｐｌｅｔｅ）を基地局装置１ｂに送信する。その後、ステップＳ１１０に進む。
なお、基地局装置１ｂは、ステップＳ１０５の後、予め定めた期間に受信完了通知を受信しなかった場合には、ステップＳ１０５に戻る。また、受信完了通知は、ステップＳ１０８で準備が完了したことを示す通知であってもよい。
【００６９】
（ステップＳ１１０）基地局装置１ｂは、ステップＳ１０９の受信完了通知を受信したことを示す受信確認通知（ＡＣＫ）を端末装置１ａに送信する。その後、ステップＳ１１１に進む。
なお、端末装置１ａは、ステップＳ１０９の後、予め定めた期間に受信完了通知を受信しなかった場合には、ステップＳ１０９に戻る。
（ステップＳ１１１）基地局装置１ｂは、ステップＳ１１０で受信確認通知を送信後、予め定めた時間が経過後（ｍサブフレーム後）に、ステップＳ１０３及びＳ１０４で保持したＣＡ情報及びＣＣ−ＩＤ情報を用いて、ＤＬ通信を開始する。具体的には、無線受信部（図示せず）が端末装置１ａからの信号を受信して復調する。図７のＣＣ−ＩＤ情報決定部１１２ｂは、ＵＬの受信データを処理する受信データ処理部（図示せず）から受信完了通知を抽出する。ＣＣ−ＩＤ情報決定部１１２ｂは、受信完了通知を検出したサブフレームを示す情報を、ＣＣ−ＩＤ情報保持部１２２ｂを介してリソース情報生成部１２６ｂに出力する。リソース情報生成部１２６ｂは、入力された情報が示すサブフレームからｍサブフレーム後のサブフレーム以降、Ｓ１０４で保持したＣＣ−ＩＤ情報を用いてマッピング情報とＣＣ−ＩＤを含む制御情報を生成する。
【００７０】
また、端末装置１ａは、ステップＳ１１０の受信確認通知を受信後、予め定めた時間が経過後（ｍサブフレーム後）に、ステップＳ１０６及びＳ１０７で保持したＣＡ情報及びＣＣ−ＩＤ情報を用いて、ＤＬ通信を開始する。具体的には、図８のＣＣ−ＩＤ情報取得部１３２ａは、ＤＬ−ＣＣセットユーザデータ合成部１２１ａから受信確認通知を検出する。ＣＣ−ＩＤ情報取得部１３２ａは、受信確認通知を検出したサブフレームを示す情報を、ＣＣ−ＩＤ情報保持部１０９ａを介してリソース情報取得部１１２aに出力する。リソース情報取得部１１２aは、入力された情報が示すサブフレームからｍサブフレーム後のサブフレーム以降、Ｓ１０７で保持したＣＣ−ＩＤ情報を用いてＣＣ−ＩＤとマッピング情報を抽出する。
このように、ステップＳ１１１以降は、ＤＬ通信において、ステップＳ１０３、Ｓ１０４、Ｓ１０６、Ｓ１０７で保持したＣＡ情報及びＣＣ−ＩＤ情報が用いられる。
【００７１】
図１０は、本実施形態に係る通信システムの動作の別の一例を示すシーケンス図である。この図は、端末装置１ａがＣＡ情報を受信してモニタリングＣＣを監視している場合の一例である。図１０の一例と図９の一例とを比較すると、ステップＳ１０８〜Ｓ１１１は同じ処理である。図１０では、図９の一例と同じ処理については、説明を省略する。
【００７２】
（ステップＳ２０１）端末装置１ａは、ＣＡ情報を受信し、ＣＡ情報が示すモニタリングＣＣで、通信を監視する。その後、ステップＳ２０２に進む。
（ステップS２０２）基地局装置１ｂ又は端末装置１ａは、伝送路情報や通信要求情報の変化によって、ＣＣ−ＩＤ情報を更新すると判定する。例えば、モニタリングＣＣよりＣＱＩが高いＣＣを検出した場合、このＣＣをモニタリングＣＣに変更するため、ＣＣ−ＩＤ情報を更新すると判定する。基地局装置１ｂ又は端末装置１ａは、ＣＣ−ＩＤ情報を更新することを要求するＣＣ−ＩＤ情報更新要求を生成して、基地局装置１ｂに通知する。その後、ステップＳ２０３に進む。
【００７３】
（ステップＳ２０３）基地局装置１ｂは、ＣＣ−ＩＤ情報を決定して保持する。その後、ステップＳ２０４に進む。
（ステップＳ２０４）基地局装置１ｂは、ステップＳ２０３で決定したＣＣ−ＩＤ情報を、アンカーキャリアを用いて、端末装置１ａに通知する。その後、ステップＳ２０５に進む。
（ステップＳ２０５）端末装置１ａは、ステップＳ２０４で通知されたＣＣ−ＩＤ情報を保持する（通知されたＣＣ−ＩＤ情報で、ＣＣ−ＩＤ情報の記憶領域を更新する）。その後、ステップＳ１０８に進む。
【００７４】
このように、本実施形態では、基地局装置１ｂは、制御情報の信号を配置するモニタリングＣＣ毎に異なるＣＣ−ＩＤを用いて、モニタリングＣＣに配置する制御情報が示すＣＣを指定する。端末装置１ａは、制御情報の信号が配置されるモニタリングＣＣ毎に異なるＣＣ−ＩＤを用いて、モニタリングＣＣに配置された制御情報が示すＣＣを選択する。これにより、本実施形態では、通信システムは、制御チャネルの制御情報が示すＣＣを柔軟かつ確実に特定することができる。
また、本実施形態では、基地局装置１ｂが制御情報で制御するユーザデータを配置するＣＣを指定し、端末装置１ａが制御情報で制御するユーザデータが配置される周波数帯域を選択する。これにより、本実施形態では、通信システムは、制御チャネルの制御情報が示すＣＣであって、ユーザデータが配置されるＣＣを柔軟かつ確実に特定することができる。
【００７５】
また、本実施形態では、基地局装置１ｂが制御情報で制御するユーザデータを配置するＣＣを示すＣＣ−ＩＤを送信せず、端末装置１ａがＣＣ−ＩＤがない場合には、制御情報が配置されたＣＣを、制御情報で制御するユーザデータを配置する周波数帯域として選択する。これにより、本実施形態では、通信システムは、ＣＣ−ＩＤの分だけ情報を削減することができる。
また、本実施形態によれば、基地局装置１ｂがＣＣとＣＣ−ＩＤとの対応情報であるＣＣ−ＩＤリストを決定して送信し、端末装置１ａが基地局装置１ｂから受信したＣＣ−ＩＤリストを用いて、モニタリングＣＣに配置された制御情報が示すＣＣを選択する。これにより、本実施形態では、基地局装置１ｂは、ＣＣ−ＩＤを管理することができ、また、ＣＣ−ＩＤの追加や形式変更にも柔軟に対応することができる。
また、本実施形態によれば、基地局装置１ｂは、受信確認通知の送信から予め定めた期間の経過後に、ＣＣ−ＩＤリストを用いて、モニタリングＣＣに配置する制御情報が示すＣＣを指定する。また、端末装置１ａは、受信確認通知を受信し、受信から予め定めた期間の経過後に、ＣＣ−ＩＤリストを用いて、モニタリングＣＣに配置する制御情報が示すＣＣを選択する。これにより、本実施形態では、通信システムは、ＣＣ−ＩＤリストの適用のタイミングを、端末装置１ａと基地局装置１ｂで一致させることができる。また、通信システムは、ＤＬ通信の準備完了後にＣＣ−ＩＤリストを適用するので、端末装置１ａと基地局装置１ｂで確実にＣＣ−ＩＤリストを適用することができる。
【００７６】
＜変形例＞
以下、上記実施形態の変形例について説明をする。
本変形例では、端末装置１ａは、基地局装置１ｂから通知されたＣＡ情報に基づいて、ＣＣ−ＩＤ情報を決定する。
本変形例では、通信システムは、情報設定部１１ｂ及び情報設定部１３ａに代えて、それぞれ、情報設定部２１ｂ及び情報設定部２３ａを備える。
【００７７】
図１１は、本実施形態の変形例に係る基地局装置１ｂの情報設定部２１ｂの構成を示す概略ブロック図である。情報設定部２１ｂ（図１１）と情報設定部１１ｂ（図７）とを比較すると、ＣＣ−ＩＤ情報決定部２１２ｂが異なる。しかし、他の構成（ＣＡ情報決定部１１１ｂ）が持つ機能は上記実施形態と同じである。実施形態と同じ構成についての説明は省略する。
【００７８】
ＣＣ−ＩＤ情報決定部２１２ｂは、ＣＡ情報決定部１１１ｂから入力されたＣＡ情報に基づいて、端末装置１ａ毎にＣＩＦサイズ情報、及び、端末装置１ａのモニタリングＣＣ毎にＣＣ−ＩＤリストを生成する。ＣＣ−ＩＤ情報決定部２１２ｂは、決定したＣＩＦサイズ及び生成したＣＣ−ＩＤリストを含むＣＣ−ＩＤ情報を、ＣＣ−ＩＤ情報保持部１２２ｂに出力する。
【００７９】
図１２は、本変形例に係る端末装置１ａの情報設定部２３ａの構成を示す概略ブロック図である。この図において、情報設定部２３ａは、ＣＡ情報取得部２３１ａ及びＣＣ−ＩＤ情報決定部２３２ａを含んで構成される。
【００８０】
ＣＡ情報取得部２３１ａは、ＤＬ−ＣＣセットユーザデータ合成部１２１ａから入力されたユーザデータからＣＡ情報を取得し、ＣＡ情報保持部１０１ａ及びＣＣ−ＩＤ情報決定部２３２ａに出力する。
ＣＣ−ＩＤ情報決定部２３２ａは、ＣＡ情報取得部２３１ａから入力されたＣＡ情報に基づいて、ＣＩＦサイズ情報、及び、モニタリングＣＣ毎にＣＣ−ＩＤリストを生成する。ここで、ＣＣ−ＩＤ情報決定部２３２ａは、ＣＣ−ＩＤ情報決定部２１２ｂと同じ処理を行って、ＣＩＦサイズ情報、及び、モニタリングＣＣ毎にＣＣ−ＩＤリストを生成する。
【００８１】
このように、本変形例によれば、基地局装置１ｂは、ＣＡ情報に基づいて、予め定めた規則によってＣＣ−ＩＤリストを決定するとともに、ＣＡ情報を送信する。端末装置１ａは、基地局装置１ｂから受信したＣＡ情報に基づいて、基地局装置１ｂ同じ規則によってＣＣ−ＩＤリストを決定する。これにより、本変形例では、ＣＣ−ＩＤリストの通知をしなくても、基地局装置１ｂと端末装置１ａとで同じＣＣ−ＩＤリストを用いてＤＬ通信を行うことができ、ＣＣ−ＩＤリストを通知するためのオーバーヘッドを削減することができる。
【００８２】
なお、上述した実施形態における端末装置１ａ及び基地局装置１ｂの一部、例えば、ＣＡ情報保持部１０１ａ、受信部１０３ａ、ＯＦＤＭ信号処理部１０４ａ、受信データ保持部１０５ａ、ＰＣＦＩＣＨ情報取得部１０６ａ、ＰＣＦＩＣＨ情報保持部１０７ａ、モニタリングセット抽出部１０８ａ、ＣＣ−ＩＤ情報保持部１０９ａ、ＤＬ−ＣＣセットユーザデータ合成部１２１ａ、アプリケーション部１２２ａ、ＤＣＩフォーマット取得部１１１ａ、リソース情報取得部１１２ａ、ユーザデータ取得部１１３ａ、モニタリングＣＣユーザデータ合成部１１４ａ、ＣＩＦ取得部１１２１ａ、周波数情報取得部１１２２ａ、マッピング情報取得部１１２３ａ、伝搬路情報保持部１０１ｂ、通信要求情報保持部１０２ｂ、ＣＡ情報保持部１２１ｂ、ＣＣ−ＩＤ情報保持部１２２ｂ、受信部１２３ｂ、ユーザデータ保持部１２４ｂ、マッピング決定部１２５ｂ、リソース情報生成部１２６ｂ、ＯＦＤＭ信号処理部１２７ｂ、送信部１２８ｂ、ＣＡ情報決定部１１１ｂ、ＣＣ−ＩＤ情報決定部１１２ｂ、２１２ｂ、ＣＡ情報取得部１３１ａ、２３１ａ、ＣＣ−ＩＤ情報取得部１３２ａ、及びＣＣ−ＩＤ情報決定部２３２ａをコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置１ａ又は基地局装置１ｂに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における端末装置１ａ及び基地局装置１ｂの一部、または全部を、ＬＳＩ（Ｌａｒｇｅ  Ｓｃａｌｅ  Ｉｎｔｅｇｒａｔｉｏｎ）等の集積回路として実現しても良い。端末装置１ａ及び基地局装置１ｂの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００８３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００８４】
本発明は、携帯電話装置を端末装置とする移動通信システムに用いることができる。
【符号の説明】
【００８５】
１ａ・・・端末装置、１０１ａ・・・ＣＡ情報保持部、１０２ａ・・・アンテナ、１０３ａ・・・受信部、１０４ａ・・・ＯＦＤＭ信号処理部、１０５ａ・・・受信データ保持部、１０６ａ・・・ＰＣＦＩＣＨ情報取得部、１０７ａ・・・ＰＣＦＩＣＨ情報保持部、１０８ａ・・・モニタリングセット抽出部、１０９ａ・・・ＣＣ−ＩＤ情報保持部、１１ａ−１、１１ａ−２・・・データ処理部、１２１ａ・・・ＤＬ−ＣＣセットユーザデータ合成部、１２２ａ・・・アプリケーション部、１３ａ、２３ａ・・・情報設定部、１１１ａ・・・ＤＣＩフォーマット取得部、１１２ａ・・・リソース情報取得部、１１３ａ・・・ユーザデータ取得部、１１４ａ・・・モニタリングＣＣユーザデータ合成部、１１２１ａ・・・ＣＩＦ取得部、１１２２ａ・・・周波数情報取得部、１１２３ａ・・・マッピング情報取得部、１ｂ・・・基地局装置、１０１ｂ・・・伝搬路情報保持部、１０２ｂ・・・通信要求情報保持部、１１ｂ、２１ｂ・・・情報設定部、１２１ｂ・・・ＣＡ情報保持部、１２２ｂ・・・ＣＣ−ＩＤ情報保持部、１２３ｂ・・・受信部、１２４ｂ・・・ユーザデータ保持部、１２５ｂ・・・マッピング決定部、１２６ｂ・・・リソース情報生成部、１２７ｂ・・・ＯＦＤＭ信号処理部、１２８ｂ・・・送信部、１２９ｂ・・・アンテナ、１１１ｂ・・・ＣＡ情報決定部、１１２ｂ、２１２ｂ・・・ＣＣ−ＩＤ情報決定部、１３１ａ、２３１ａ・・・ＣＡ情報取得部、１３２ａ・・・ＣＣ−ＩＤ情報取得部、２３２ａ・・・ＣＣ−ＩＤ情報決定部
【図１】
2011142336.tif 000003
【図２】
2011142336.tif 000004
【図３】
2011142336.tif 000005
【図４】
2011142336.tif 000006
【図５】
2011142336.tif 000007
【図６】
2011142336.tif 000008
【図７】
2011142336.tif 000009
【図８】
2011142336.tif 000010
【図９】
2011142336.tif 000011
【図１０】
2011142336.tif 000012
【図１１】
2011142336.tif 000013
【図１２】
2011142336.tif 000014
【国際調査報告】
2011142336.tif 000015
2011142336.tif 000016
2011142336.tif 000017
2011142336.tif 000018